(57)【特許請求の範囲】
【請求項１】
リモートコントローラで操作可能な映像表示装置において、前記リモートコントローラは、当該映像表示装置の電源のオン／オフを操作する電源ボタンと、該電源ボタンに類似した他の特定操作を行う特定ボタンとを有し、当該映像表示装置は、オンスクリーン表示するオンスクリーン表示手段と、該オンスクリーン表示手段でオンスクリーン表示を行っている間に、前記電源ボタンが押下された場合に、前記オンスクリーン表示手段に対し、電源オフを実行するか否かの確認画面をオンスクリーン表示させる制御手段とを有することを特徴とする映像表示装置。
【請求項２】
前記特定ボタンは、前記電源ボタンと色及び／又は形状が類似したボタンであることを特徴とする請求項１に記載の映像表示装置。
【請求項３】
前記特定ボタンは、前記電源ボタンと前記リモートコントローラ上での配置が類似したボタンであることを特徴とする請求項１に記載の映像表示装置。
【請求項４】
前記制御手段は、オンスクリーン表示として前記特定ボタンで操作可能な操作画面を表示しているときのみ、前記電源ボタンの押下に伴う前記確認画面のオンスクリーン表示を、前記オンスクリーン表示手段で実行させる制御を行うことを特徴とする請求項１乃至３のいずれか１項に記載の映像表示装置。
【請求項５】
前記オンスクリーン表示手段は、テレテキストを表示する手段を有し、前記制御手段は、オンスクリーン表示としてテレテキストを表示しているときのみ、前記電源ボタンの押下に伴う前記確認画面のオンスクリーン表示を、前記オンスクリーン表示手段で実行させる制御を行うことを特徴とする請求項１乃至４のいずれか１項に記載の映像表示装置。
【請求項６】
前記制御手段は、テレテキストの表示に切り替わってから所定時間経過する前のみ、前記電源ボタンの押下に伴う前記確認画面のオンスクリーン表示を、前記オンスクリーン表示手段で実行させる制御を行うことを特徴とする請求項５に記載の映像表示装置。
【請求項７】
前記オンスクリーン表示手段は、電子番組表を表示する手段を有し、前記制御手段は、オンスクリーン表示として電子番組表を表示しているときのみ、前記電源ボタンの押下に伴う前記確認画面のオンスクリーン表示を、前記オンスクリーン表示手段で実行させる制御を行うことを特徴とする請求項１乃至４のいずれか１項に記載の映像表示装置。
【請求項８】
前記制御手段は、電子番組表の表示に切り替わってから所定時間経過する前のみ、前記電源ボタンの押下に伴う前記確認画面のオンスクリーン表示を、前記オンスクリーン表示手段で実行させる制御を行うことを特徴とする請求項７に記載の映像表示装置。
【請求項９】
当該映像表示装置は、外部機器に接続して該外部機器から映像を入力する外部入力手段を有し、前記制御手段は、オンスクリーン表示の有無に拘わらず、当該映像表示装置で前記外部機器の入力を表示している場合のみ、前記電源ボタンの押下に伴う前記確認画面のオンスクリーン表示を、前記オンスクリーン表示手段で実行させる制御を行うことを特徴とする請求項１乃至４のいずれか１項に記載の映像表示装置。
【請求項１０】
前記制御手段は、前記外部機器の入力の表示に切り替わってから所定時間経過する前のみ、前記電源ボタンの押下に伴う前記確認画面のオンスクリーン表示を、前記オンスクリーン表示手段で実行させる制御を行うことを特徴とする請求項９に記載の映像表示装置。
【請求項１１】
当該映像表示装置は、外部表示機器に接続して該外部表示機器に映像を出力する外部出力手段を有し、前記オンスクリーン表示手段は、前記外部出力手段により前記外部表示機器へオンスクリーン表示画像を出力する手段であることを特徴とする請求項１乃至１０のいずれか１項に記載の映像表示装置。
【発明の詳細な説明】
【技術分野】
【０００１】
本発明は、映像表示装置に関し、より詳細には、リモートコントローラで操作可能で、且つ内蔵された表示機器或いは外部接続された表示機器に対してオンスクリーン表示を行うことが可能な映像表示装置に関する。
【背景技術】
【０００２】
放送番組を受信して表示するテレビジョン受像機（ＴＶ受像機）、放送番組を受信・録画して外部表示機器に映像出力する各種レコーダ、放送番組を受信して外部表示機器に映像出力する各種チューナ機器等の映像表示装置には、遠隔操作が可能なよう、一般的にリモートコントローラ（リモコン）が付属している。
【０００３】
一方で、映像表示装置には、オンスクリーン表示機能（ＯＳＤ機能）が搭載されており、現在の入力モードや受信中の放送チャンネルの番号をはじめ、音量、明るさ、輝度、表示モードなどの映像表示装置自体の設定を行うための設定画面やメニュー形式の設定画面、ＴＥＬＥＴＥＸＴ（テレテキスト）や電子番組表の画面などが、オンスクリーン表示可能となっている。電子番組表には、場合によっては写真なども用いて番組表を視覚的に分かり易く表示した電子番組ガイド（ＥＰＧ）や、シンプルにテキストのみで番組情報を表示したＥＳＧ（Electronic Service Guide）などがある。
【０００４】
そして、ＯＳＤによる各種設定も、映像表示装置の電源のオン／オフや、チャンネル切り替え、音量調整等の操作もリモコンで操作可能とするためには、ＯＳＤによる各種設定専用の操作ボタンをリモコン上に設けておくか、或いはリモコン上の操作ボタンを兼用にする必要がある。このため、リモコン上の操作ボタンの数が増えることは避けられず、形や色や配置が類似したボタンを設けざるを得ない。
【０００５】
例えば、欧州やアジアのテレテキスト対応ＴＶ受像機や日本のデジタルチューナ対応ＴＶ受像機においては、所謂カラーボタンがリモコン上に搭載されている。このような受信機においては、チャンネル情報画面などで、カラーボタン操作案内が表示されるようになっている。そして、電源ボタンの色がカラーボタンのいずれかと同じ色である場合が多い。
【０００６】
ユーザはこれらの類似したボタンの中から、操作したいボタンを確認した後に、実際に操作ボタンを押下することとなり、確認の手間が必要であったり、誤操作を招くこととなる。
【０００７】
特許文献１には、映像ミュートの誤設定を防止するため、確認画面をオンスクリーン表示してボタンを２度押しするようにしたディスプレイ装置が開示されている。
【特許文献１】特開２００５−２０７２５号公報
【発明の開示】
【発明が解決しようとする課題】
【０００８】
しかしながら、カラーボタン操作案内が表示されるような受信機においては、電源ボタンの色が４色のカラーボタンのいずれかと同じことが多く、ユーザが間違えて電源ボタンを押し、電源をオフしてしまうといった事態が生ずる。そして、テレテキスト放送やデジタル放送においては、一旦電源をオフしてしまうと新たなデータの取り込みに時間がかかるため視聴者にとって不都合となる。
【０００９】
また、特許文献１に記載の装置では、映像ミュートのボタン操作時には、常に確認画面を表示し、確認後に操作を可能としているため、操作が面倒となる。
【００１０】
本発明は、上述のごとき実情に鑑みてなされたものであり、電源のオン／オフを操作する電源ボタンとそれに類似した特定ボタンが設けられたリモコンに対し、その特定ボタンを押下する際に間違えて電源ボタンを押下し電源オフとなってしまうことを、面倒な操作を必要とせず防止することが可能な映像表示装置、を提供することをその目的とする。
【課題を解決するための手段】
【００１１】
上記目的を達成するために、本発明の第１の技術手段は、リモートコントローラで操作可能な映像表示装置において、前記リモートコントローラは、当該映像表示装置の電源のオン／オフを操作する電源ボタンと、該電源ボタンに類似した他の特定操作を行う特定ボタンとを有し、当該映像表示装置は、オンスクリーン表示するオンスクリーン表示手段と、該オンスクリーン表示手段でオンスクリーン表示を行っている間に、前記電源ボタンが押下された場合に、前記オンスクリーン表示手段に対し、電源オフを実行するか否かの確認画面をオンスクリーン表示させる制御手段とを有することを特徴としたものである。
【００１２】
第２の技術手段は、第１の技術手段において、前記特定ボタンは、前記電源ボタンと色及び／又は形状が類似したボタンであることを特徴としたものである。
【００１３】
第３の技術手段は、第１の技術手段において、前記特定ボタンは、前記電源ボタンと前記リモートコントローラ上での配置が類似したボタンであることを特徴としたものである。
【００１４】
第４の技術手段は、第１乃至第３のいずれかの技術手段において、前記制御手段は、オンスクリーン表示として前記特定ボタンで操作可能な操作画面を表示しているときのみ、前記電源ボタンの押下に伴う前記確認画面のオンスクリーン表示を、前記オンスクリーン表示手段で実行させる制御を行うことを特徴としたものである。
【００１５】
第５の技術手段は、第１乃至第４のいずれかの技術手段において、前記オンスクリーン表示手段は、テレテキストを表示する手段を有し、前記制御手段は、オンスクリーン表示としてテレテキストを表示しているときのみ、前記電源ボタンの押下に伴う前記確認画面のオンスクリーン表示を、前記オンスクリーン表示手段で実行させる制御を行うことを特徴としたものである。
【００１６】
第６の技術手段は、第５の技術手段において、前記制御手段は、テレテキストの表示に切り替わってから所定時間経過する前のみ、前記電源ボタンの押下に伴う前記確認画面のオンスクリーン表示を、前記オンスクリーン表示手段で実行させる制御を行うことを特徴としたものである。
【００１７】
第７の技術手段は、第１乃至第４のいずれかの技術手段において、前記オンスクリーン表示手段は、電子番組表を表示する手段を有し、前記制御手段は、オンスクリーン表示として電子番組表を表示しているときのみ、前記電源ボタンの押下に伴う前記確認画面のオンスクリーン表示を、前記オンスクリーン表示手段で実行させる制御を行うことを特徴としたものである。
【００１８】
第８の技術手段は、第７の技術手段において、前記制御手段は、電子番組表の表示に切り替わってから所定時間経過する前のみ、前記電源ボタンの押下に伴う前記確認画面のオンスクリーン表示を、前記オンスクリーン表示手段で実行させる制御を行うことを特徴としたものである。
【００１９】
第９の技術手段は、第１乃至第４のいずれかの技術手段において、当該映像表示装置は、外部機器に接続して該外部機器から映像を入力する外部入力手段を有し、前記制御手段は、オンスクリーン表示の有無に拘わらず、当該映像表示装置で前記外部機器の入力を表示している場合のみ、前記電源ボタンの押下に伴う前記確認画面のオンスクリーン表示を、前記オンスクリーン表示手段で実行させる制御を行うことを特徴としたものである。
【００２０】
第１０の技術手段は、第９の技術手段において、前記制御手段は、前記外部機器の入力の表示に切り替わってから所定時間経過する前のみ、前記電源ボタンの押下に伴う前記確認画面のオンスクリーン表示を、前記オンスクリーン表示手段で実行させる制御を行うことを特徴としたものである。
【００２１】
第１１の技術手段は、第１乃至第１０のいずれかの技術手段において、当該映像表示装置は、外部表示機器に接続して該外部表示機器に映像を出力する外部出力手段を有し、前記オンスクリーン表示手段は、前記外部出力手段により前記外部表示機器へオンスクリーン表示画像を出力する手段であることを特徴としたものである。
【発明の効果】
【００２２】
本発明によれば、映像表示装置において、電源のオン／オフを操作する電源ボタンとそれに類似した特定ボタンが設けられたリモコンに対し、その特定ボタンを押下する際に間違えて電源ボタンを押下し電源オフとなってしまうことを、面倒な操作を必要とせず防止することが可能となる。
【発明を実施するための最良の形態】
【００２３】
本発明に係る映像表示装置は、リモコンで操作可能な装置であって、リモコン誤操作防止機能をもつものとする。この映像表示装置としては、表示機器を内蔵した所謂テレビやモニタだけでなく、外部表示機器に映像出力する映像出力機器も該当する。以下、本発明に係る映像表示装置としてテレビで代表される表示機器内蔵の装置を想定して説明し、その後、外部表示機器で映像表示を行う装置（映像出力機器）への適用例を説明する。
【００２４】
図１は、本発明の一実施形態に係る映像表示装置の本体の構成例を示すブロック図で、図２は、図１の映像表示装置本体に付属のリモコンの構成例を示す概観図で、図中、１は映像表示装置の本体、２はリモコン（Ｒ／Ｃ）である。
【００２５】
映像表示装置本体１は、デジタル放送及び／又はアナログ放送を受信して選局するチューナ１１と、チューナ１１で受信した映像に対し各種映像処理を施す映像処理回路１２と、ＯＳＤ画像を生成し映像処理回路１２から出力された映像信号に重畳することで合成するＯＳＤ生成／合成部１３と、ＯＳＤ生成／合成部１３でＯＳＤ画像が重畳された映像信号（当然ＯＳＤ画像がない場合もある）を表示する液晶パネルやプラズマディスプレイなどの表示部１４と、映像表示装置本体１の電源及び電源制御回路でなる電源回路１５と、リモコン２から発光された制御信号を受信するＲ／Ｃ受光部１７と、それらを制御するマイクロコンピュータ（マイコン）１６とを備える。
【００２６】
マイコン１６は、ＣＰＵ（Central Processing Unit）、制御プログラムや固定データ等を記憶するＲＯＭ（Read Only Memory）、ＣＰＵの作業用記憶領域であるＲＡＭ（Random Access Memory）等の半導体メモリなどからなる。
【００２７】
なお、表示機器内蔵型の映像表示装置本体１としては、このような構成に限ったものではなく、ＯＳＤ画像が表示部１４で表示でき、且つＲ／Ｃ２によってユーザ操作できるものであれば、後述する本発明の主たる特徴を具備することができる。
【００２８】
本発明において、リモコン２は、映像表示装置の電源のオン／オフを操作する電源ボタン２０と、その電源ボタン２０に類似した他の特定操作を行う特定ボタンとを有するものとする。図２の例では、電源ボタン２０を赤色とし、特定ボタンとして赤ボタン２５ｒを採用した場合について説明する。このように、特定ボタンとしては、電源ボタン２０と色が類似したボタンであることが本発明の効果がより得られるため好ましいが、電源ボタン２０と形状が類似したボタンであってもよく、また色及び形状が類似したボタンであることが発明としてはより効果的となる。また、特定ボタンは、電源ボタン２０とリモコン２上での配置が類似したボタンであってもよい。ここで、配置の類似とは位置が近いことなどを指す。
【００２９】
図２で例示するリモコン２には、電源ボタン２０の他に、チャンネル番号を選択する操作を行うためのチャンネル選択ボタン２１、電子番組表（ＥＰＧ／ＥＳＧ）を表示する操作を行うための番組表表示ボタン２２ａ、テレテキストを表示する操作を行うためのテレテキスト表示ボタン２２ｂ、現在受信中の番組に対する番組情報を表示する操作を行うための番組情報表示ボタン２２ｃ、映像表示装置本体１の各種設定を行うメニュー画面を表示する操作を行うためのメニュー画面表示ボタン２３、メニューをはじめ設定時のカーソル位置の左右上下方向への移動操作や決定操作を行うための移動・決定ボタン２４、及び、カラーボタン２５が設けられている。
【００３０】
カラーボタン２５としては、上述した赤ボタン２５ｒの他に、緑ボタン２５ｇ、黄ボタン２５ｙ、及び青ボタン２５ｂが、テレテキスト画面やＥＰＧ／ＥＳＧの画面やメニュー画面などを表示しているときの簡易操作用として設けられている。カラーボタン２５は、各ボタン２５ｒ，２５ｇ，２５ｙ，２５ｂのそれぞれの押下操作に対する応答をユーザに提示するために、テレテキスト画面やＥＰＧ／ＥＳＧの画面やメニュー画面に各ボタンの画像及びその説明を表示しておくとよい。
【００３１】
そのため、映像表示装置本体１では、ＯＳＤ生成／合成部１３が、特定ボタン（例えば赤ボタン２５ｒ）を少なくとも含む操作ボタンで操作可能な操作画面（例えばカラーボタン操作案内画面）を生成・合成し、表示部１４でオンスクリーン表示することを可能としている。
【００３２】
そして、本発明の主たる特徴として、マイコン１６で例示する制御手段は、このような操作画面のＯＳＤ表示を行っている間に、電源ボタン２０が押下されたことをＲ／Ｃ受光部１７から伝えられたときに、ＯＳＤ生成／合成部１３に対し、電源オフを実行するか否かの確認画面をＯＳＤ表示させる制御を行う。この制御はマイコン１６内に実行可能に組み込んだ制御プログラムによって実行できる。
【００３３】
このように、例えばカラーボタン操作案内が表示されている場合において、電源ボタン２０が押されたときは、ＯＳＤ表示で本当にオフするか、一度ユーザに確認することで、、カラーボタン２５（特に赤ボタン２５ｒ）と間違えて電源ボタン２０を押してしまっても、電源オフを回避することができる。実際に電源がオフしてしまうと、再度映像が表示されるまで数秒以上かかるため、その間ＴＶ視聴ができず見逃してしまうことがあるが、これによりそれも回避できる。
【００３４】
以上、本発明によれば、映像表示装置において、電源のオン／オフを操作する電源ボタンとそれに類似した特定ボタンが設けられたリモコンに対し、その特定ボタンを押下する際に間違えて電源ボタンを押下し電源オフとなってしまうことを、面倒な操作を必要とせず防止することが可能となる。
【００３５】
また、ここでは、オンスクリーン表示として赤ボタン２５ｒで例示した特定ボタンで操作可能な操作画面を表示しているときのみ、マイコン１６が電源ボタン２０の押下に伴う確認画面のオンスクリーン表示をＯＳＤ生成／合成部１３で実行させる制御を行うとしたが、これに限らず、特定ボタンで操作できないどのようなオンスクリーン表示であった場合にも電源ボタン２０の押下に伴う確認画面のオンスクリーン表示を実行させるように制御してもよい。
【００３６】
図３は、図１及び図２の映像表示装置における電源オフ確認処理の一例を説明するためのフロー図、図４は、図１の映像表示装置本体の画面におけるＯＳＤ表示例を示す図、図５は、図１の映像表示装置本体の画面におけるＥＰＧ表示例を示す図である。
【００３７】
まず、マイコン１６は、カラーボタン２５（少なくとも赤ボタン２５ｒを含む）で操作可能なＯＳＤ画面、例えばＥＰＧ／ＥＳＧ或いはテレテキストを、現在ＯＳＤ表示中であるか否かを判定する（ステップＳ１）。ＯＳＤ生成／合成部１３は、放送を受信して取り出したテレテキストや放送又はネットワーク経由で取得した番組情報などから、テレテキスト画面や電子番組表画面を生成・合成するとよい。
【００３８】
カラーボタン２５で操作可能なＯＳＤ画面としては、例えば図４で例示した表示画面４０のように、受信映像と共にイベント通知画像４１及びボタン情報表示移行画像（カラーボタン操作案内表示画像）４２を表示しておいてもよい。このイベント通知画像４１は、カラーボタン２５の色に割り当てられたイベントが実行可能であることを通知する画像であり、これに対する応答として、ユーザはカラーボタン２５のいずれかを操作することにより、それぞれ定められたイベントを実行できる。また、カラーボタン２５のそれぞれの操作内容については、ボタン情報表示移行画像４２を、ユーザが移動・決定ボタン２４を操作することで別途ＯＳＤ表示可能としておけばよい。
【００３９】
また、同じくカラーボタン２５で操作可能なＯＳＤ画面としては、図５で例示するＥＰＧの表示画面５０が挙げられる。表示画面５０には、ＯＳＤ表示としてＥＰＧ画像５１が表示されている。ＥＰＧ画像５１は、受信映像表示領域５２や番組情報（イベント情報等も含む）と共に、赤ボタン画像５３ｒ、緑ボタン画像５３ｇ、黄ボタン画像５３ｙ、青ボタン画像５３ｂ、上下ボタン画像５４ａ、左右ボタン画像５４ｂ、及び決定ボタン画像５４ｃなどの操作案内用の画像が含まれる。
【００４０】
各ボタン画像には、リモコン２の操作ボタンの操作内容を示す情報が付されている。例えば、赤ボタン画像５３ｒの隣に「ページダウン」を示す表記が、緑ボタン画像５３ｇの隣に「ページアップ」を示す表記が、黄ボタン画像５３ｙの隣に「前日」を示す表記が、青ボタン画像５３ｂの隣に「明日」を示す表記があり、表示されたＥＰＧ画像に対し、それぞれページダウン、アップ、前日分の画像へ移行、明日分の画像への移行が、赤ボタン２５ｒ、緑ボタン２５ｇ、黄ボタン２５ｙ、青ボタン２５ｂにより操作できることを示している。
【００４１】
カラーボタン２５の他の使用例としては、次のようなものがある。デジタル放送のコンテンツには、ゲームがあり、そのゲームの操作キーとしてカラーボタン２５が使われている。また、テニスの大会の中継で、試合が行われているコートがいくつかあり、見たい試合（コート）を自由にユーザが選択できるような時、切替ボタンとしてカラーボタン２５が使用されている。
【００４２】
ステップＳ１でこのようなＯＳＤ画像が表示中であると判定された場合、マイコン１６は、電源ボタン２０の押下がなされたか否かを判定する（ステップＳ２）。ステップＳ２で押下無しの場合にはステップＳ１へ戻り、押下がなされたときには、赤ボタン２５ｒの押し間違いの可能性もあるため、ＯＳＤ生成／合成部１３を制御し、電源オフ確認画面をＯＳＤ表示させる（ステップＳ３）。このように、マイコン１６は、オンスクリーン表示として電子番組表やテレテキストなどを表示しているときのみ、電源ボタン２０の押下に伴う確認画面のオンスクリーン表示を、ＯＳＤ生成／合成部１３に実行させる制御を行う。
【００４３】
電源オフ確認画面としては、例えば「電源オフしてもよいか？ＹＥＳ／ＮＯ」といったような文字を表示するなどすればよい。この電源オフ確認画面に対するユーザの応答操作（ステップＳ４）は、少ないほどよい。従って、例えば、「電源オフします。キャンセルの場合にはもう一度そのボタンを押してください」などと画面表示しておき、キャンセルの操作をユーザから受け付けるようにしてもよいし、逆に電源オフする場合にユーザに再操作させるようにしてもよい。
【００４４】
ステップＳ４での操作（操作無しの場合もあり）が電源オフを許可しない操作であった場合には、マイコン１６は、電源オフにせずに、ＯＳＤ生成／合成部１３を制御して確認画面を消して元の画面（通常の画面）に戻し（ステップＳ５）、ステップＳ１に戻る。一方、ステップＳ４での操作が電源オフ許可操作であった場合には、マイコン１６は電源回路１５を制御して、電源をオフにする（ステップＳ８）。
【００４５】
一方、ステップＳ１でＮＯの場合、電源ボタン２０の押下事象を検出しない間はステップＳ１へ戻り、検出した場合には、マイコン１６は、入力切替後、電源ボタン２０の押下が所定の閾値（Ｔ秒）以内であったか否かを判定し（ステップＳ７）、Ｔ秒以内であった場合にはステップＳ３へ進み、Ｔ秒を超える場合にはそのまま電源をオフにする（ステップＳ８）。アナログテレビからデジタルテレビへ、或いはデジタルテレビから外部入力へといった入力切替後は、直ぐに（Ｔ秒以内に）電源ボタン２０を押すことは少ないとの判断に基づき、ステップＳ７の処理を実行している。
【００４６】
このように、映像表示装置本体１が、外部機器に外部入力端子及びコード或いは無線通信機器等により接続して、その外部機器から映像を入力する外部入力手段を有する場合には、マイコン１６は、外部機器の入力の表示に切り替わってから所定時間経過する前のみ、電源ボタン２０の押下に伴う確認画面のオンスクリーン表示を、ＯＳＤ生成／合成部１３に実行させる制御を行うことが好ましい。例えば、映像表示装置本体１にデジタルチューナが接続され、入力がそれに選択されているときに、「赤ボタンを押してください」などというＯＳＤ表示がなされることがあり、このような制御は有効である。さらに所定時間やオンスクリーン表示の有無に拘わらず、マイコン１６は、映像表示装置本体１で外部機器の入力を表示している場合のみ、電源ボタン２０の押下に伴う確認画面のオンスクリーン表示を、ＯＳＤ生成／合成部１３に実行させる制御を行うようにしてもよい。
【００４７】
また、図３では図示していないが、マイコン１６は、テレテキストや電子番組表の表示に切り替わってから所定時間経過する前のみ、電源ボタン２０の押下に伴う確認画面のオンスクリーン表示を、ＯＳＤ生成／合成部１３に実行させる制御を行うようにしてもよい。
【００４８】
また、ステップＳ１の判定は、現在ＯＳＤ表示において赤ボタン２５ｒの操作を促す画像が表示されているか否かに基づき実行してもよい。すなわち、カラーボタン操作案内画面がないときに電源ボタン２０が押されたときは、誤操作が起こり難い通常時であり、確認処理実行せず、そのまま電源をオフにし、誤操作が起こり易いカラーボタン操作案内画面が表示されているときには、電源オフを一度確認する。
【００４９】
さらに、ＯＳＤ生成／合成部１３は、例えばアナログ放送視聴時であってテレテキストモード選択時には図４及び図５のようなカラーボタン操作案内画面を表示し、電源ボタン２０のキー操作時には、マイコン１６がＯＳＤ生成／合成部１３を制御して警告（コーション）表示を実行するようにしてもよい。一方、デジタル放送視聴時には殆どのコンテンツでカラーボタンが用いられることから、ＥＰＧ／ＥＳＧの表示・非表示に拘わらず電源ボタン２０のキー操作時には、マイコン１６がＯＳＤ生成／合成部１３を制御して、常に警告表示を行うようにしてもよい。
【００５０】
以上、本発明に係る映像表示装置について、表示パネル等の表示機器を内蔵するものを前提に説明したが、これにはプロジェクタ等も該当し、また表示機器を内蔵しない装置（映像出力機器）にも適用可能である。このような映像出力機器としては、例えば、放送番組を録画して外部表示機器に映像出力する各種レコーダ、放送番組を受信して外部表示機器に映像出力する各種チューナ機器等が該当する。
【００５１】
このような映像出力機器は、外部表示機器に外部入力端子及びコード或いは無線通信機器等により接続して、その外部表示機器に映像を出力する外部出力手段を備える。そして、ＯＳＤ生成／合成部１３は、この外部出力手段により外部表示機器へオンスクリーン表示画像を出力する。そして、このような映像出力機器であっても、マイコン１６が必要に応じて上述したような警告表示をＯＳＤ生成／合成部１３を制御して外部表示機器に出力させ、外部出力機器で警告表示を行うことが可能となる。
【図面の簡単な説明】
【００５２】
【図１】本発明の一実施形態に係る映像表示装置の本体の構成例を示すブロック図である。
【図２】図１の映像表示装置本体に付属のリモコンの構成例を示す概観図である。
【図３】図１及び図２の映像表示装置における電源オフ確認処理の一例を説明するためのフロー図である。
【図４】図１の映像表示装置本体の画面におけるＯＳＤ表示例を示す図である。
【図５】図１の映像表示装置本体の画面におけるＥＰＧ表示例を示す図である。
【符号の説明】
【００５３】
１…映像表示装置本体、２…リモコン（Ｒ／Ｃ）、１１…チューナ、１２…映像処理回路、１３…ＯＳＤ生成／合成部、１４…表示部、１５…電源回路、１６…マイコン、１７…Ｒ／Ｃ受光部、２０…電源ボタン、２１…チャンネル選択ボタン、２２ａ…番組表表示ボタン、２２ｂ…裏番組情報表示ボタン、２２ｃ…番組情報表示ボタン、２３…メニュー画面表示ボタン、２４…移動・決定ボタン、２５…カラーボタン、２５ｒ…赤ボタン、２５ｇ…緑ボタン、２５ｙ…黄ボタン、２５ｂ…青ボタン、４０，５０…表示画面、４１…イベント通知画像、４２…ボタン情報表示移行画像、５１…ＥＰＧ画像、５２…受信映像表示領域、５３ｒ…赤ボタン画像、５３ｇ…緑ボタン画像、５３ｙ…黄ボタン画像、５３ｂ…青ボタン画像、５４ａ…上下ボタン画像、５４ｂ…左右ボタン画像、５４ｃ…決定ボタン画像。
【図１】
0004573806.tif 000002
【図２】
0004573806.tif 000003
【図３】
0004573806.tif 000004
【図４】
0004573806.tif 000005
【図５】
0004573806.tif 000006